(57)【要約】【課題】画像形成装置の画像読取装置における自動原稿搬送装置の原稿セット部にセットされる原稿のサイズと向きの検出を原稿セット部に配列された太陽電池を用いて行う場合において、自動原稿搬送装置のスキャナ部に対する開閉状態検出も太陽電池を利用して行うことができるようにし、それだけ、自動原稿搬送装置の開閉検出関係の費用を低減する。【解決手段】自動原稿搬送装置１２のスキャナ部に対する開閉状態を、自動原稿搬送装置１２の原稿セット部１２１に配列された太陽電池群ＳＢのうち原稿で遮蔽されていない太陽電池のうち少なくとも一つの発電量の、自動原稿搬送装置閉状態ときのデフォルト発電量に対する変化に基づいて検出する。【選択図】図３
2012114656.tif 000002
【特許請求の範囲】
【請求項１】
スキャナ部と該スキャナ部の開閉カバーを兼ねる自動原稿搬送装置を含む画像読取装置を有しており、前記自動原稿搬送装置の原稿セット部にセットされる原稿のサイズと向きを検出するための太陽電池が該原稿セット部に配置されている画像形成装置であり、前記自動原稿搬送装置の前記スキャナ部に対する開閉状態を検出する開閉検出装置を備えており、前記自動原稿搬送装置の原稿セット部には前記原稿のサイズと向きを検出するための太陽電池である複数の太陽電池を含む太陽電池群が配列されており、前記開閉検出装置は、太陽電池発電量検出部を含んでおり、前記太陽電池群のうちの原稿で遮蔽されていない太陽電池のうち少なくとも一つの、前記太陽電池発電量検出部で検出される発電量の、前記自動原稿搬送装置閉状態ときのデフォルト発電量に対する変化値が予め定めた基準値より大きいと前記自動原稿搬送装置が開状態にあり、前記デフォルト発電量に対する変化値が定めた基準値以下のときは前記自動原稿搬送装置が閉状態にあると判断することで前記自動原稿搬送装置の開閉状態を検出することを特徴とする画像形成装置。
【請求項２】
前記自動原稿搬送装置は一つの側端部で前記スキャナ部にヒンジ連結されて開閉可能であり、前記開閉検出装置は、前記自動原稿搬送装置の開閉状態の検出に用いる太陽電池の少なくとも一つとして、前記自動原稿搬送装置の、前記スキャナ部にヒンジ連結された一側端部と該一側端部とは反対側の他側端部の両側端部のうち該一側端部により近く位置する太陽電池の少なくとも一つを採用する請求項１記載の画像形成装置。
【請求項３】
前記開閉検出装置は、前記原稿セット部に配列された太陽電池群のうちの、原稿で遮蔽されていない太陽電池の前記太陽電池発電量検出部で検出される発電量の平均値と該原稿で遮蔽されていない太陽電池の前記自動原稿搬送装置閉状態ときのデフォルト発電量の平均値との差が予め定めた基準値より大きいと前記自動原稿搬送装置が開状態にあると判断し、前記差が予め定めた基準値以下のときは前記自動原稿搬送装置が閉状態にあると判断する請求項１記載の画像形成装置。
【請求項４】
前記開閉検出装置は、前記原稿セット部に配列された太陽電池群のうちの、原稿で遮蔽されていない各太陽電池の前記太陽電池発電量検出部で検出される発電量の前記自動原稿搬送装置閉状態ときのデフォルト発電量に対する変化のうち最大変化値が予め定めた基準値より大きいときは前記自動原稿搬送装置が開状態にあると判断し、前記予め定めた基準値以下のときは前記自動原稿搬送装置が閉状態にあると判断する請求項１記載の画像形成装置。
【請求項５】
前記開閉検出装置は、前記原稿セット部に配列された太陽電池群のうちの、原稿で遮蔽されていない太陽電池の前記太陽電池発電量検出部で検出される発電量の総和と該原稿で遮蔽されていない太陽電池の前記自動原稿搬送装置閉状態ときのデフォルト発電量の総和との差が予め定めた基準値より大きいと前記自動原稿搬送装置が開状態にあり、前記差が予め定めた基準値以下のときは前記自動原稿搬送装置が閉状態にあると判断する請求項１記載の画像形成装置。
【請求項６】
前記開閉検出装置は、前記太陽電池発電量検出部に、前記自動原稿搬送装置の開閉状態検出に用いる太陽電池の発電量を予め定めた時間間隔で検出させるとともに該太陽電池の発電量に基づいて前記自動原稿搬送装置の開閉状態を判断する請求項１から５のいずれか１項に記載の画像形成装置。
【請求項７】
前記開閉検出装置は、前記自動原稿搬送装置の開閉状態の初期判断を前記スキャナ部の予備スキャン動作から得られる自動原稿搬送装置の開閉情報に基づいて行い、該初期判断において前記自動原稿搬送装置が閉状態にあることを確認すると前記発電量検出部に前記太陽電池のデフォルト発電量を求めさせ、該デフォルト発電量を記憶部に記憶させ、前記初期判断後の前記自動原稿搬送装置の開閉状態検出において該記憶部に記憶させたデフォルト発電量を参照する請求項１から６のいずれか１項に記載の画像形成装置。
【請求項８】
前記自動原稿搬送装置は一つの側端部で前記スキャナ部にヒンジ連結されて開閉可能であり、前記自動原稿搬送装置の原稿セット部は中央通紙基準の原稿セット部であり、前記開閉検出装置は、前記自動原稿搬送装置の開閉状態の検出に用いる太陽電池として、原稿で遮蔽されていない太陽電池のうち、前記一側端部側の太陽電池の少なくとも一つ及び前記一側端部とは反対側の太陽電池の少なくとも一つを採用する請求項１に記載の画像形成装置。
【発明の詳細な説明】
【技術分野】
【０００１】
本発明は、スキャナ部と該スキャナ部の開閉カバーを兼ねる自動原稿搬送装置を含む画像読取装置を搭載した画像形成装置に関する。
【背景技術】
【０００２】
スキャナ部と該スキャナ部の開閉カバーを兼ねる自動原稿搬送装置を含む画像読取装置を有する画像形成装置は、複写機、ファクシミリ機、これらを組み合わせた複合機などにみられる。
【０００３】
例えば複写機、ファクシミリ機、これらを組み合わせた複合機は、一般的には、原稿画像を読み取るための画像読取装置を備えている。画像読取装置の中には、スキャナ部に自動原稿搬送装置を備えたものが多々見うけられる。自動原稿搬送装置は読み取ろうとする原稿をセットするための原稿セット部を備えている。
【０００４】
このように自動原稿搬装置に原稿セット部を有している画像形成装置の中には、該原稿セット部にセットされる原稿のサイズと向きを検出するための手段を備えているものがある。
【０００５】
この種の画像形成装置では、原稿セット部にセットされる原稿のサイズと向きを検出することで、その原稿に見合った複写用記録用紙を選択することや、原稿の読み取り範囲を設定すること等が可能になる。
【０００６】
また、スキャナ部に自動原稿搬送装置を搭載した画像読取装置を有する画像形成装置では、自動原稿搬送装置がスキャナ部の開閉カバーを兼ねているので、自動原稿搬送装置のスキャナ部に対する開閉状態を検出する開閉検出装置を備えているものがある。
【０００７】
自動原稿搬送装置の開閉状態を検出することで、原稿画像の読み取り不良や、原稿画像読み取り前の画像形成動作開始を禁止すること等が可能になる。
【０００８】
ところで、近年、一酸化炭素ガス削減の世界的要請に対応するエネルギー源として、太陽電池が広く普及し始めており、画像形成装置の分野でも、太陽光、室内照明光等の光を受け得る部位である用紙セット部が注目されるようになってきた。
【０００９】
自動原稿搬装置の原稿セット部にセットされる原稿のサイズと向きの検出に関しては、例えば、特開２００７−１０６５８３号公報（特許文献１）には、用紙セット部にセットされる用紙のサイズ及び（又は）向きを、該用紙セット部に配置された、用紙のサイズ及び（又は）向きを検出するための太陽電池の発電量に基づいて検出する用紙種検出装置を備えた画像形成装置が記載されている。
【００１０】
一方、自動原稿搬送装置のスキャナ部に対する開閉状態の検出については、リミットスイッチ等の機械的スイッチやフォトセンサなどを用いるのが一般的である。
【先行技術文献】
【特許文献】
【００１１】
【特許文献１】特開２００７−１０６５８３号公報
【発明の概要】
【発明が解決しようとする課題】
【００１２】
自動原稿搬送装置のスキャナ部に対する開閉状態の検出装置については、既述のとおり、機械的スイッチやフォトセンサなどを利用したものが用いられてきたのであるが、近年の太陽電池の普及、そして、自動原稿搬装置の原稿セット部にセットされる原稿種の検出に関して太陽電池が用いられるようになってきた現状からすると、自動原稿搬送装置のスキャナ部に対する開閉状態の検出にも原稿セット部に配置される太陽電池を利用し、機械的スイッチやフォトセンサを省略してしまうことが望ましいといえる。
【００１３】
そこで本発明は、スキャナ部と該スキャナ部の開閉カバーを兼ねる自動原稿搬送装置を含む画像読取装置を有しており、前記自動原稿搬送装置の原稿セット部にセットされる原稿のサイズと向きを検出するための太陽電池が該原稿セット部に配置されている画像形成装置であって、前記自動原稿搬送装置の前記スキャナ部に対する開閉状態の検出を、従来自動原稿搬送装置開閉検出で使用されていた機械的スイッチやフォトセンサを省略して太陽電池を利用して行うことができ、それだけ、自動原稿搬送装置の開閉検出関係の費用の低減を図ることができる画像形成装置を提供することを課題とする。
【課題を解決するための手段】
【００１４】
本発明は前記課題を解決するため、
スキャナ部と該スキャナ部の開閉カバーを兼ねる自動原稿搬送装置を含む画像読取装置を有しており、前記自動原稿搬送装置の原稿セット部にセットされる原稿のサイズと向きを検出するための太陽電池が該原稿セット部に配置されている画像形成装置であり、前記自動原稿搬送装置の前記スキャナ部に対する開閉状態を検出する開閉検出装置を備えており、前記自動原稿搬送装置の原稿セット部には前記原稿のサイズと向きを検出するための太陽電池である複数の太陽電池を含む太陽電池群が配列されており、前記開閉検出装置は、太陽電池発電量検出部を含んでおり、前記太陽電池群のうちの原稿で遮蔽されていない太陽電池のうち少なくとも一つの、前記太陽電池発電量検出部で検出される発電量の、前記自動原稿搬送装置閉状態ときのデフォルト発電量に対する変化値が予め定めた基準値より大きいと前記自動原稿搬送装置が開状態にあり、前記デフォルト発電量に対する変化値が定めた基準値以下のときは前記自動原稿搬送装置が閉状態にあると判断することで前記自動原稿搬送装置の開閉状態を検出する画像形成装置を提供する。
【００１５】
本発明に係る画像形成装置によると、前記自動原稿搬送装置の前記スキャナ部に対する開閉状態を検出する開閉検出装置は、該自動原稿搬送装置の原稿セット部の太陽電池群のうちの原稿で遮蔽されていない太陽電池のうち少なくとも一つの、自動原稿搬送装置閉状態のときのデフォルト発電量に対する変化値が予め定めた基準値より大きいと前記自動原稿搬送装置が開状態にあり、前記デフォルト発電量に対する変化値が定めた基準値以下のときは前記自動原稿搬送装置が閉状態にあると判断することで前記自動原稿搬送装置の開閉状態を検出することができる。
【００１６】
このように本発明に係る画像形成装置によると、自動原稿搬送装置のスキャナ部に対する開閉状態の検出を、従来自動原稿搬送装置開閉検出で使用されていた機械的スイッチやフォトセンサを省略して太陽電池を利用して行うことができ、それだけ、自動原稿搬送装置の開閉検出関係の費用の低減を図ることができる。
【００１７】
本発明に係る画像形成装置においては、前記自動原稿搬送装置は一つの側端部で前記スキャナ部にヒンジ連結して開閉可能とすることができる。
画像形成装置は室内の壁近く等の人通過の邪魔にならない場所に設置されることが多く、自動原稿搬送装置がスキャナ部にヒンジ連結されている場合には、一般的には、ヒンジ側が壁等に向けられる。
【００１８】
このような画像形成装置の配置では、自動原稿搬送装置をヒンジでスキャナ部に対して開閉可能とする場合、天井からの光照射状態や、壁からの光反射状態を考慮すると、自動原稿搬送装置開閉に伴う原稿セット部の受光量変化は、前記ヒンジから遠い部位より近い部位の方が大きいことがおおい。
【００１９】
そこで、前記開閉検出装置は、前記自動原稿搬送装置の開閉状態の検出に用いる太陽電池の少なくとも一つとして、前記自動原稿搬送装置の、前記スキャナ部にヒンジ連結された一側端部と該一側端部とは反対側の他側端部の両側端部のうち該一側端部により近く位置する太陽電池の少なくとも一つを採用してもよい。
【００２０】
前記自動原稿搬送装置の開閉状態を前記太陽電池の発電量の変化に基づいて判断する前記開閉検出装置の例として以下のものを挙げることができる。
・発電量平均値のデフォルト平均値との比較
前記開閉検出装置は、前記原稿セット部に配列された太陽電池群のうちの、原稿で遮蔽されていない太陽電池の前記太陽電池発電量検出部で検出される発電量の平均値と該原稿で遮蔽されていない太陽電池の前記自動原稿搬送装置閉状態ときのデフォルト発電量の平均値との差が予め定めた基準値（基準差）より大きいと前記自動原稿搬送装置が開状態にあると判断し、前記差が予め定めた基準値（基準差）以下のときは前記自動原稿搬送装置が閉状態にあると判断する。
この場合、前記[基準値（基準差）]は自動原稿搬送装置の開閉を検出し得る「基準値」であり、予め実験等により定めておくことができるが、支障なければ、「０」と設定し、前記の差があるときは開状態、差がないときは閉状態と判断してもよい。
【００２１】
(２)最大変化値による判断
前記開閉検出装置は、前記原稿セット部に配列された太陽電池群のうちの、原稿で遮蔽されていない各太陽電池の前記太陽電池発電量検出部で検出される発電量の前記自動原稿搬送装置閉状態ときのデフォルト発電量に対する変化のうち最大変化値が予め定めた基準値より大きいときは前記自動原稿搬送装置が開状態にあると判断し、前記予め定めた基準値以下のときは前記自動原稿搬送装置が閉状態にあると判断する。
この場合も、前記[基準値]は自動原稿搬送装置の開閉を検出し得る値であり、予め実験等により定めておくことができる。
【００２２】
・発電量総和のデフォルト発電量総和との比較
前記開閉検出装置は、前記原稿セット部に配列された太陽電池群のうちの、原稿で遮蔽されていない太陽電池の前記太陽電池発電量検出部で検出される発電量の総和と該原稿で遮蔽されていない太陽電池の前記自動原稿搬送装置閉状態ときのデフォルト発電量の総和との差が予め定めた差より大きいと前記自動原稿搬送装置が開状態にあり、前記差が予め定めた差以下のときは前記自動原稿搬送装置が閉状態にあると判断する。
この場合も、前記[基準値（基準差）]は自動原稿搬送装置の開閉を検出し得る「基準値」であり、予め実験等により定めておくことができるが、支障なければ、「０」と設定し、前記の差があるときは開状態、差がないときは閉状態と判断してもよい。
【００２３】
いずれにしても、前記太陽電池発電量検出部の発電量検出のタイミングに関して、前記開閉検出装置は、前記太陽電池発電量検出部に、前記自動原稿搬送装置の開閉状態検出に用いる太陽電池の発電量を予め定めた時間間隔で検出させるとともに該太陽電池の発電量に基づいて前記自動原稿搬送装置の開閉状態を判断する場合を例示できる。
【００２４】
また、前記開閉検出装置は、前記自動原稿搬送装置の開閉状態の初期判断を前記スキャナ部の予備スキャン動作から得られる自動原稿搬送装置の開閉情報に基づいて行い、該初期判断において前記自動原稿搬送装置が閉状態にあることを確認すると前記発電量検出部に前記太陽電池のデフォルト発電量を求めさせ、該デフォルト発電量を記憶部に記憶させ、前記初期判断後の前記自動原稿搬送装置の開閉状態検出において該記憶部に記憶させたデフォルト発電量を参照してもよい。
【００２５】
また、前記自動原稿搬送装置が一つの側端部で前記スキャナ部にヒンジ連結されて開閉可能であり、前記自動原稿搬送装置の原稿セット部は中央通紙基準の原稿セット部である場合、前記開閉検出装置は、前記自動原稿搬送装置の開閉状態の検出に用いる太陽電池として、原稿で遮蔽されていない太陽電池のうち、前記一側端部側の太陽電池の少なくとも一つ及び前記一側端部とは反対側の太陽電池の少なくとも一つを採用してもよい。
【発明の効果】
【００２６】
以上説明したように本発明によると、スキャナ部と該スキャナ部の開閉カバーを兼ねる自動原稿搬送装置を含む画像読取装置を有しており、前記自動原稿搬送装置の原稿セット部にセットされる原稿のサイズと向きを検出するための太陽電池が該原稿セット部に配置されている画像形成装置であって、前記自動原稿搬送装置の前記スキャナ部に対する開閉状態の検出を、従来自動原稿搬送装置開閉検出で使用されていた機械的スイッチやフォトセンサを省略して太陽電池を利用して行うことができ、それだけ、自動原稿搬送装置の開閉検出関係の費用の低減を図ることができる画像形成装置を提供することができる。
【図面の簡単な説明】
【００２７】
【図１】本発明に係る画像形成装置例の構成を概略的に示す図である。
【図２】図1の画像形成装置の一部の斜視図であり、画像読取装置の自動原稿搬送装置を開いた状態で示す斜視図である。
【図３】図1の画像形形成位置における画像読取装置の自動原稿搬送装置の概略平面図である。
【図４】自動原稿搬送装置の原稿セット部における太陽電池配列状態を示す図である。
【図５】自動原稿搬送装置を開いた状態を開閉ヒンジ側から見て示す図である。
【図６】自動原稿搬送装置の開角度と太陽電池発電量との関係を示すグラフである。
【図７】図１の画像形成装置の制御回路の概略を示すブロック図である。
【図８】図４の太陽電池配列状態に係る用紙種検出及び開閉検出装置の制御回路を示す図である
【図９】図８の制御回路による用紙有無及び用紙種検出動作を示すフローチャートである。
【図１０】図８の制御回路による自動原稿搬送装置の開閉検出のメイン動作を示すメインフローチャートである。
【図１１】図１０のフローチャートにおける自動原稿搬送装置のステップＳ３の開閉検出動作の１例を示すフローチャートである。
【図１２】図１０のフローチャートにおける自動原稿搬送装置のステップＳ３の開閉検出動作の他の例を示すフローチャートである。
【図１３】図１０のフローチャートにおける自動原稿搬送装置のステップＳ３の開閉検出動作のさらに他の例を示すフローチャートである。
【図１４】自動原稿搬送装置の原稿セット部における太陽電池配列状態の他の例を示す図である。
【発明を実施するための形態】
【００２８】
図１に本発明に係る画像形成装置の１例を示す。
図１に示す画像形成装置１００は、プリンタ部分２０とそれに搭載された画像読取装置１０を含んでいる。画像形成装置１００は複写機、プリンタ、ファクシミリ機等として利用できる所謂複合機である。
【００２９】
図７は画像形成装置１００の制御回路の概略を示している。プリンタ部２０の各部及び画像読取装置１０の各部等は図７に示す制御部Ｃｏｎｔの指示のもとに所定のタイミングで動作する。制御部Ｃｏｎｔには操作パネル３０が接続されている。操作パネル３０には各種情報等を表示するディスプレイ３０１や、画像形成枚数等指定用のテンキー及び記録用紙種等を選択するキー等のキー群３０２などが配置されている。
【００３０】
画像読取装置１０はスキャナ部１１とそれに搭載された自動原稿搬送装置１２とを含んでいる。
【００３１】
プリンタ部分２０は、それとは限定されないが、ここでは画像読取装置１０で原稿から読み取られる画像情報、外部コンピュータ、フアクシミリ機等から送信されてくる画像情報等に基づいて、電子写真方式により記録用紙Ｓにトナー画像を形成することができるものである。
【００３２】
プリンタ部分２０は、画像形成部２１、画像形成部下方の用紙供給部２２、画像形成パス２３を有している。画像形成部２１は図示省略のベルト駆動部により回転駆動される駆動ローラｄ１と対向ローラｄ２に巻き掛けられて図中反時計方向ＣＣＷに回転駆動可能の中間転写ベルト２１１を含んでいる。該ベルトに沿ってベルト走行方向にイエロー画像形成ユニットＹ、マゼンタ画像形成ユニットＭ、シアン画像形成ユニットＣ及びブラック画像形成ユニットＫがこの順序で配置されている。
【００３３】
各色担当の画像形成ユニットは、画像読取装置１０からの画像情報や、図示省略の外部コンピュータや外部ファクシミリ機等から送信されてくる画像情報に基づいて、電子写真方式により感光体ＰＣ上に担当色画像に対応する静電潜像を形成し、該潜像を担当色トナーで現像してトナー像を形成し、これを図示省略の電源から１次転写バイアスが印加される１次転写ローラｔｒでベルト２１１上に１次転写することができる。
【００３４】
画像形成ユニットを用いて画像形成するにあたっては、四つの画像形成ユニットのうちいずれか一つを用いてモノクロトナー像を形成することもできるし、二つ以上の画像形成ユニットを用いてカラー画像を形成することもできる。二つ以上の画像形成ユニットを用いる場合には、それら画像形成ユニットで形成される各色トナー像はベルト２１１上で重ねられるタイミングでベルト２１１に１次転写される。
【００３５】
画像形成部２１はさらに、中間転写ベルト２１１の回転方向においてブラック画像形成ユニットＫの下流側で該ベルトに臨む２次転写ローラ２１２及びその上方に配置された定着装置２１３も含んでいる。
【００３６】
前記のようにベルト２１１上に１次転写されるトナー像は、図示省略の電源から２次転写バイアスが印加される２次転写ローラ２１２により、画像形成パス２３に沿って搬送されてくる用紙Ｓに２次転写される。
【００３７】
画像形成すべき用紙は用紙供給部２２から供給される。
用紙供給部２２は、カセット受入れ部に取り出し可能に装着された給紙カセット２２０に予め積載収容された用紙Ｓを給紙ローラ２２１により１枚ずつレジストローラ２３１へ供給するものである。
【００３８】
用紙供給部２２から供給される用紙は画像形成パス２３の入口に位置するレジストローラ２３１に突き当てられて一旦停止され、画像形成部２１において用紙の所定位置に画像形成が可能になるタイミングでレジストローラ２３１により画像形成パス２３へ送り込まれる。
【００３９】
このようにして用紙に２次転写されたトナー像は、定着装置２１３により加熱加圧下に定着され、用紙とともに排出ローラ２４にて排出トレイ２５へ排出される。
【００４０】
画像読取装置１０は既述のとおり、スキャナ部１１と、それに搭載された自動原稿搬送装置１２を含んでいる。自動原稿搬送装置は以下「ＡＤＦ」ということがある。
スキャナ部１１は既に知られているもので、図１に示すように、原稿画像をシートスルー方式（流し撮り方式）で読み取るための原稿台ガラス１１１及び原稿をその上に静止配置して読み取る大きい面積の原稿台ガラス１１２を有している。さらに、これらガラス下方の図示省略の光学式原稿画像走査ユニット、レンズを含む光学系及び撮像素子等を含んでいる。
【００４１】
走査ユニットはガラス１１１又は１１２を通して照明ランプで原稿を照らし、原稿からの画像情報を含む反射光を、光学系を介して、光電変換撮像素子（本例ではＣＣＤを含む素子）へ導き、撮像素子に原稿画像を結像させ、読みとらせる。
【００４２】
スキャナ部１１は以上の構成に限定されるものではなく、それ自体知られた画像読取センサをガラス１１１に対して定位置に配置して原稿画像を読み取る、或いはその画像読取センサをガラス１１２に対して所定の位置から一定速度で移動させて原稿画像を読み取る方式のもの等でもよい。
【００４３】
自動原稿搬送装置（ＡＤＦ）１２は、後述する太陽電池利用の用紙種検出装置４０（図7、図8参照）等を備えている点を除けば、既に知られているものである。自動原稿搬送装置１２は図２に示すように奥側端部でヒンジＨによりスキャナ部１１に開閉可能に連結されており、原稿台ガラス１１１，１１２のある面を開閉できるカバーとしても機能する。
【００４４】
自動原稿搬送装置１２は、原稿セット部（原稿載置トレイ）１２１にセットされた原稿を、それ自体知られている原稿搬送機構部１２２（図１参照）で、原稿台ガラス１１１上に通過させ、原稿排出トレイ１２３へ排出するものである。
【００４５】
図１において、自動原稿搬送装置１２に１２０で示される部分は、装置１２をスキャナ部１１の開閉カバーとして開閉操作するとき利用できる手掛け凹所である。図１、図３において、自動原稿搬送装置１２に１２１１、１２１１’で示される部分は、原稿セット部１２１上の原稿セット位置を規制する定規である。
【００４６】
原稿セット部や記録用紙セット部等の用紙セット部に原稿や記録用紙等の用紙をセットするにあったては、セットすべき用紙の予め決められた箇所を用紙セット部の予め決められた基準セット位置に一致させるとともに、用紙の向きを予め決められた向きにしてセットするのが一般的である。
【００４７】
自動原稿搬送装置１２は、図４に例示するような所謂中央通紙基準の装置である。原稿セット部１２１に原稿をセットするにあたり、図４に破線で示す各種定型サイズ（Ａ３，Ｂ４，Ａ４，Ｂ５）の原稿のうち、いずれのサイズの、いずれの向きの原稿をセットする場合でも、原稿セット部１２１の前端の中央部（図４で言えば左端中央部）を原稿基準セット位置として、連動して間隔を可変とした定規１２１１、１２１１’を用いて、原稿の１辺（及びこれと平行な辺）を方向Ｘに揃え、且つ、該原稿の先端中央部を該基準セット位置に合致させてセットする。
【００４８】
図４において原稿の定型サイズを示すＡ３、Ａ４、Ｂ４、Ｂ５等の後ろに付された記号「Ｙ」は原稿セット部１２１にセットされた原稿の基準セット位置からの原稿長辺長さ位置（長辺の終端位置）を示しており、「Ｔ」はセット部１２１にセットされた原稿の基準セット位置からの原稿短辺長さ位置（短辺の終端位置）を示している。
【００４９】
原稿搬送装置１２の原稿セット部１２１の上面には、図３及び図４に示すように複数の太陽電池が配列されている。太陽電池群ＳＢは、原稿のサイズと向きを検出するための９個の検知太陽電池１〜３、４〜９と、セット部１２１上の原稿の有無を検出するための検知太陽電池０と、これら検知太陽電池が配置されていない空きスペースに配置された発電専用の太陽電池ｐｇとからなっている。
【００５０】
原稿搬送装置１２では、検知太陽電池０〜９及び発電専用太陽電池ｐｇのいずれも、形状は長方形状であり、サイズは同一であり、同じ光の照射において同一発電量を示す。
【００５１】
検知太陽電池１〜３（第１太陽電池群）は、用紙（原稿）のＸ方向のサイズを検出するために、異なる定型用紙サイズ間（Ａ３ＹとＢ４Ｙの間、Ｂ４ＹとＡ４Ｙの間、Ａ４ＹとＢ５Ｙの間）の領域に、かつ、定型用紙サイズの境界を跨がないように配置されている。
【００５２】
検知太陽電池４〜６，７〜９（第２太陽電池群）は、用紙（原稿）のＹ方向のサイズを検出するために、異なる定型用紙サイズ間（Ｂ５ＴとＡ４Ｔの間、Ａ４ＴとＢ４Ｔの間、Ｂ４ＴとＡ３Ｔの間）の領域に、かつ、定型用紙サイズの境界を跨がないように配置されている。
【００５３】
検知太陽電池０は、基準セット位置からＸ方向のＢ５Ｔまでの領域、かつ、基準セット位置からＹ方向のＢ５Ｔまでの領域に配置されている。
【００５４】
原稿セット部１２１上に配列された各太陽電池の長辺の長さは、定型用紙の最小サイズであるＢ５Ｔ以下となる寸法以内であり、かつ、各太陽電池の短辺の長さは、異なる定型用紙サイズ間でＹ方向のサイズ差が最大となる寸法以内である。
【００５５】
第１太陽電池群の検知太陽電池１〜３の長辺の方向と第２太陽電池群の検知太陽電池４〜６，７〜９の長辺の方向とは直交している。
【００５６】
前記のように自動原稿搬送装置１２の原稿セット部１２１に配列された太陽電池群ＳＢは、図７及び図８に参照符号４０で示すように、用紙種検出及び自動原稿搬送装置（ＡＤF）開閉検出装置を構成している。
【００５７】
用紙種検出及びＡＤＦ開閉検出装置４０は、図８に示すように、太陽電池群ＳＢを含んでいるとともに、用紙種判定及びＡＤＦ開閉判定部４１を含んでいる。判定部４１は、電流センサ及びダイオードを含む電流電圧検出部４１１、電力算出並びに用紙サイズ向き及びＡＤＦ開閉状態の判定を行う判定部４１２、蓄電池等を含んでいる。部分４１２にはメモリｍがあり、ここに後述する原稿の有無、並びに原稿サイズと向きを判別するための表１が記憶されている。さらにＡＤＦの開閉状態を判定するときの参考基準となるを基準値を記憶させてある。なお、この説明から理解できるように、判定部４１は太陽電池の発電量を検出できる発電量検出部を含んでいるといえる。
【００５８】
図８では、検知太陽電池０、１〜９のほかの太陽電池は「他の太陽電池」としてまとめて示してあり、それらにそれぞれ対応する電圧電流検出部も、他の電流センサなどの記載を用いてまとめて示してある。
【００５９】
表１は以下のとおりである。
【表１】
2012114656.tif 000003
【００６０】
表１において、Ａ３Ｙ，Ｂ４Ｙ，Ａ４Ｙ，Ｂ５Ｙ、Ａ４Ｔ，Ｂ５Ｔは原稿のサイズと向きをあらわしてしており、図４においてＸ方向の原稿長さ終端位置が示されている原稿をあらわしている。
【００６１】
表１において、「○」は、検知太陽電池の発電量が、予め定めた閾値発電量β（検知太陽電池が原稿に覆われているか否かを判断するための閾値発電量）より大きいことを示しており、その検知太陽電池は原稿で覆われていないことを意味している。
「●」は、検知太陽電池の発電量が閾値発電量β以下であることを示しており、その検知太陽電池は原稿で覆われていることを意味している。
【００６２】
電流電圧検出部４１１は検知太陽電池０〜９からの電流及び電圧を検出してその情報を判定部４１２へ入力する。判定部４１２では検出部４１１から入力される電流と電圧から各検知太陽電池の発電量を算出する。さらに算出した各太陽電池の発電量を閾値発電量βと比較し、その太陽電池が原稿で覆われているか否かを判断する。
【００６３】
このようにして検知太陽電池１-〜９の発電量（βより大「○」か、以下「●」か）の組み合わせを表１に求め、表１において求められる同じ組み合わせから、原稿のサイズと向きを判定する。また、検知太陽電池０の発電量が「○」か、「●」かで原稿セット部１２１上の原稿の有無も判断する。
【００６４】
図９は判定部４１２における用紙有無及び用紙種判断動作を示している。
図９に示されるように、プログラムがスタートすると、検知太陽電池０の電流と電圧を読み込み、その太陽電池０の発電量（α０）を算出する。発電量（α０）が閾値発電量βより小さいと、原稿セット部１２１に原稿があると判断して、検知太陽電池１〜９のそれぞれについて順次電流と電圧を読み込み、発電量（αｉ）を算出する。発電量（αｉ）＞βの電池については用紙なし(「○」)とし、発電量（αｉ）≦βの電池については用紙あり(「●」)とし、表1より用紙(原稿)のサイズと向きを求める。
【００６５】
このようにして得られた原稿の有無情報及び用紙種情報は制御部Ｃｏｎｔに入力され、操作パネル３０での用紙種の表示、原稿に見合った複写用記録用紙の選択、原稿の読み取り範囲の設定等に供することができる。
判定部４１２は太陽電池０〜９及びｐｇからの電力を蓄電池に蓄え、蓄えた電力を画像形成装置の予め定めた部分に供することもできる。
【００６６】
検出装置４０では、ＡＤＦ１２のスキャナ部１１に対する開閉状態も検出する。
図６は、ＡＤＦ１２の開閉角度に応じたＡＤＦ１２上の太陽電池発電量の変化を例示している。検出装置４０はこの発電量変化を利用してＡＤＦ１２の開閉状態を検出する。
検出装置４０の判定部４１２では、基本的には、太陽電池群ＳＢのうちの原稿で遮蔽されていない太陽電池の発電量の、ＡＤＦ１２閉状態ときの、予め求めてメモリｍに記憶させてあるデフォルト発電量に対する変化が予め定めた変化値（基準値）より大きいとＡＤＦ１２が開状態にあり、デフォルト発電量に対する変化が定めた変化値（基準値）以下のときはＡＤＦ１２が閉状態にあると判断することで前記自動原稿搬送装置の開閉状態を検出する。
【００６７】
ここでＡＤＦ１２の開閉を判断するための前記基準値（基準変化値）は、予めの実験等でＡＤＦ１２の開又は閉を判断できることが確認されている値であるが、後述する図１１や図１３のフローチャートでは「０」に設定してある。
【００６８】
図１０はＡＤＦ１２の開閉判断（判定）にあたっての前記判定部４１２の動作のメインルーチンを示している。
図１０に示すように、ステップＳ１で初期処理を行う。初期処理では、画像形成装置１００の電源が投入され、制御部Ｃｏｎｔの指示のもとに、画像読取装置１０のスキャナ部１１の光学方式の原稿走査機構における露光ランプ（図示省略）が点灯され、撮像素子（図示省略）がプレスキャンされることで、制御部ＣｏｎｔからＡＤＦ１２の開閉情報を受ける。このときＡＤＦ閉情報を受け取ることで、各太陽電池のＡＤＦ閉時のデフォルト発電量を算出し、メモリｍに格納する。
【００６９】
ステップＳ２では、太陽電池の発電量に変化があるか否かを判断し、変化があればステップＳ３で、図１１に示されるＡＤＦ１２の開閉検出処理を実行する。
なお、図１０で示される動作は、予め定めた時間間隔で行なえばよく、また、太陽電池の発電量変化があるときは、割り込み処理で図１０の動作を実行してもよい。
【００７０】
ステップ３の開閉検出処理では、図１１に示すように、ステップＳ３１でＡＤＦ１２  の原稿セット部１２１上の原稿の有無を検出する。この原稿有無検出処理は、図９に示される用紙有無検出処理と同様に行う。なお、図９の用紙有無検出及び用紙種検出処理をここで行なってもよい。
【００７１】
次いで原稿で遮蔽されている太陽電池を除く各太陽電池の発電量を算出し、それら発電量の平均値を求める（ステップＳ３２〜Ｓ３４）。そしてステップＳ３４で、この平均値をメモリｍに予め記憶させてある、原稿で遮蔽されている太陽電池を除く太陽電池のデフォルト発電量の平均値と比較し、ステップＳ３６で両者の差の有無をみて、差があればＡＤＦ１２は開状態にあり（Ｓ３７）、差がなければＡＤＦ１２は閉状態にある（Ｓ３８）と結論する。なお、図４に示すように、Ｘ方向においてＡ３Ｙで示される大きいサイズの原稿がセットされるときには、それよりさらに外側に配置された太陽電池ｐｇ１がＡＤＦ開閉検出に利用される。
【００７２】
図１２は図１０のフローチャートにおける自動原稿搬送装置１２のステップＳ３の開閉検出動作の他の例を示すフローチャートである。
図１２のＡＤＦ開閉検出処理例では、ステップＳ３１０でＡＤＦ１２  の原稿セット部１２１上の原稿の有無を検出する。この原稿有無検出処理も、図９に示される用紙有無検出処理と同様に行う。
【００７３】
次いで原稿で遮蔽されている太陽電池を除く各太陽電池の発電量を算出し（ステップＳ３２０〜Ｓ３４０）、それら各太陽電池について、算出された発電量とＡＤＦ１２閉状態ときのデフォルト発電量との差を求め、その差の中から最大差、換言すれば最大変化値を決定し（ステップＳ３５０）、その最大変化値が予め定めた基準値より大きいときはＡＤＦ１２は開状態にあり（Ｓ３７０）、基準値以下のときはＡＤＦ１２は閉状態にある（Ｓ３８０）と結論する。
【００７４】
図１３は図１０のフローチャートにおける自動原稿搬送装置のステップＳ３の開閉検出動作のさらに他の例を示すフローチャートである。
図１３のＡＤＦ開閉検出処理例では、ステップＳ３１１でＡＤＦ１２の原稿セット部１２１上の原稿の有無を検出する。この原稿有無検出処理も、図９に示される用紙有無検出処理と同様に行う。
【００７５】
次いで原稿で遮蔽されている太陽電池を除く各太陽電池の発電量を算出し、それら発電量の総和を求める（ステップＳ３２１〜Ｓ３４１）。そしてステップＳ３５１で、この発電量総和をメモリｍに予め記憶させてある、原稿で遮蔽されている太陽電池を除く太陽電池のデフォルト発電量の総和と比較し、ステップＳ３６１で両者の差の有無をみて、差があればＡＤＦ１２は開状態にあり（Ｓ３７１）、差がなければＡＤＦ１２は閉状態にある（Ｓ３８１）と結論する。
【００７６】
以上説明した図１１、図１２、図１３のそれぞれのＡＤＦ開閉検出では、原稿セット部１２１に配列された太陽電池群ＳＤを構成するすべての太陽電池を利用している。
しかし、ＡＤＦ開閉検出には、太陽電池群ＳＢ中の一部の太陽電池を利用するだけでもよい。
【００７７】
画像形成装置１００の設置のとき、一般的には、壁近く等の人通過の邪魔にならない場所に、かつ、ＡＤＦ１２のヒンジＨを壁等に向けて設置することが多い。そして、天井からの光照射状態や、壁からの光反射状態を考慮すると、ＡＤＦ１２の開閉に伴う原稿セット部１２１の受光量変化は、ヒンジＨから遠い部位より近い部位の方が大きいことがおおい。
【００７８】
そこでＡＤＦ１２の開閉検出にあたっては、例えば図５に示すように、ヒンジＨ側の太陽電池７，８，９、或いは、ヒンジＨ側の太陽電池７，８，９と原稿配置域を間にして反対側の太陽電池４，５，６とを利用してもよい。
【００７９】
図４に示す原稿セット部１２１は、既述のとおり所謂中央通紙基準のものであるが、本発明は所謂片側通紙基準の原稿セット部にも適用できる。
図１４は片側通紙基準の原稿セット部１２１における太陽電池配列例を示している。
【００８０】
片側通紙基準の原稿搬送装置の場合も、原稿セット部１２１の上面に複数の太陽電池を配列すればよい。図１４の例では、太陽電池群を、原稿のサイズと向きを検出するための６個の検知太陽電池１〜６と、セット部１２１上の原稿の有無を検出するための検知太陽電池０と、これら検知太陽電池が配置されていない空きスペースに配置された発電専用の太陽電池ｐｇとで構成する。
【００８１】
検知太陽電池０〜６及び発電専用太陽電池ｐｇのいずれも、形状は長方形状であり、サイズは同一であり、同じ光の照射において同一発電量を示す。
【００８２】
検知太陽電池１〜３（第１太陽電池群）は、用紙（原稿）のＸ方向のサイズを検出するために、異なる定型用紙サイズ間（Ａ３ＹとＢ４Ｙの間、Ｂ４ＹとＡ４Ｙの間、Ａ４ＹとＢ５Ｙの間）の領域に、かつ、定型用紙サイズの境界を跨がないように配置されている。
【００８３】
検知太陽電池４〜６（第２太陽電池群）は、用紙（原稿）のＹ方向のサイズを検出するために、異なる定型用紙サイズ間（Ｂ５ＴとＡ４Ｔの間、Ａ４ＴとＢ４Ｔの間、Ｂ４ＴとＡ３Ｔの間）の領域に、かつ、定型用紙サイズの境界を跨がないように配置されている。
検知太陽電池０は、基準セット位置からＸ方向のＢ５Ｔまでの領域、かつ、基準セット位置からＹ方向のＢ５Ｔまでの領域に配置されている。
【００８４】
原稿セット部１２１上に配列された各太陽電池の長辺の長さは、定型用紙の最小サイズであるＢ５Ｔ以下となる寸法以内であり、かつ、各太陽電池の短辺の長さは、異なる定型用紙サイズ間でＹ方向のサイズ差が最大となる寸法以内である。
【００８５】
第１太陽電池群の検知太陽電池１〜３の長辺の方向と第２太陽電池群の検知太陽電池４〜６の長辺の方向とは直交している。
【００８６】
片側通紙基準のＡＤＦ１２では、原稿セット部１２１に配列された検知太陽電池０、１〜６及び太陽電池ｐｇが、図８に示す用紙種検出及びＡＤＦ開閉検出装置４０と同様の用紙種検出及びＡＤＦ開閉検出装置を構成することができる。
【００８７】
しかし、図８の装置と異なり、原稿のサイズと向きを判断するための太陽電池の発電量の組み合わせ表については、表１に替えてつぎの表２が格納される。
【００８８】
【表２】
2012114656.tif 000004
【００８９】
表２において、「○」は、検知太陽電池の発電量が、予め定めた閾値発電量β（検知太陽電池が原稿に覆われているか否かを判断するための閾値発電量）より大きいことを示しており、その検知太陽電池は原稿で覆われていないことを意味している。
「●」は、検知太陽電池の発電量が閾値発電量β以下であることを示しており、その検知太陽電池は原稿で覆われていることを意味している。
【００９０】
検知太陽電池１-〜６の発電量（βより大「○」か、以下「●」か）の組み合わせを表２に求め、表２において求められる同じ組み合わせから、原稿のサイズと向きを判定することができる。また、検知太陽電池０の発電量が「○」か、「●」かで原稿セット部１２１上の原稿の有無も判断できる。
【産業上の利用可能性】
【００９１】
本発明は、自動原稿搬送装置（ＡＤＦ）の原稿セット部に配置される太陽電池を利用してＡＤＦの開閉を検出できる画像形成装置を提供することに利用できる。
【符号の説明】
【００９２】
１００  画像形成装置
１０  画像読取装置
２０  プリンタ部分
１１  スキャナ部
１１１、１１２  原稿台ガラス
１２  自動原稿搬送装置
１２１  原稿セット部
１２２  原稿搬送機構部
１２３  原稿排出トレイ
１２０  手掛け凹所
４０  用紙種検出及びＡＤＦ開閉検出装置
４１  用紙種検出及びＡＤＦ開閉判定部
４１１  電流電圧検出部
４１２  電力算出及び用紙サイズと向き、ＡＤＦ開閉を判定する部分
・１〜６、７〜９  検知太陽電池
ｐｇ  太陽電池
ＳＢ  太陽電池群
ｍ  メモリ
【図１】
2012114656.tif 000005
【図２】
2012114656.tif 000006
【図３】
2012114656.tif 000007
【図４】
2012114656.tif 000008
【図５】
2012114656.tif 000009
【図６】
2012114656.tif 000010
【図７】
2012114656.tif 000011
【図８】
2012114656.tif 000012
【図９】
2012114656.tif 000013
【図１０】
2012114656.tif 000014
【図１１】
2012114656.tif 000015
【図１２】
2012114656.tif 000016
【図１３】
2012114656.tif 000017
【図１４】
2012114656.tif 000018